(57)【要約】【課題】  エレベータと昇降路内に設置されるエレベータ制御盤間に設けられる配線コードを、昇降路が狭小であっても支障無く設けることができるエレベータ装置を提供すること。【解決手段】  箱型のエレベータかご１と、エレベータかご１の上面に設けられる制御ボックス２と、エレベータかご１の内隅部７を上下方向にわたって被装するコーナー板３と、エレベータかご１が走行する昇降路４内に設置されるエレベータ制御盤とを有するエレベータ装置５であって、制御ボックス２とエレベータ制御盤間の配線コード６を、エレベータかご１内のコーナー板３の背面側を通って通線したエレベータ装置５である。【選択図】図１
2006027868.tif 000002
【特許請求の範囲】
【請求項１】
箱型のエレベータかごと、エレベータかごの上面に設けられる制御ボックスと、エレベータかごの内隅部を上下方向にわたって被装するコーナー板と、エレベータかごが走行する昇降路内に設置されるエレベータ制御盤とを有するエレベータ装置であって、制御ボックスとエレベータ制御盤間の配線コードを、エレベータかご内のコーナー板の背面側を通って通線したことを特徴とするエレベータ装置。
【請求項２】
コーナー板は、両側部にそれぞれ延設されエレベータかごを構成する壁パネルと連結するための連結部を有することを特徴とする請求項１記載のエレベータ装置。
【請求項３】
エレベータかごの天井板の配線コード引き下ろし部分である角部分を、切り欠いたことを特徴とする請求項１又は請求項２に記載のエレベータ装置。
【請求項４】
エレベータかご下に引き出された配線コードが、エレベータかご下に設けられたコード係合部を経由し配線されていることを特徴とする請求項１から請求項３いずれか一つに記載のエレベータ装置。
【発明の詳細な説明】
【技術分野】
【０００１】
本発明は、昇降路内を昇降するエレベータかごと昇降路内部に設けられるエレベータ制御盤とをつなぐ配線について、昇降路が狭小である場合でも問題無く配線をすることができるエレベータ装置に関するものである。
【背景技術】
【０００２】
従来からエレベータ装置が、集合住宅や一般個人住宅などに用いられ、特に高齢者などの上下階の移動に役立っている。この普及に伴い、エレベータかごが昇降する昇降路を、できるだけ狭小スペースに設け、特に一般個人住宅への普及を図るようになってきている。
【０００３】
一方で、エレベータかごと昇降路内に設置されるエレベータ制御盤との間で、電源線や制御線、電話線などの配線コードを設ける必要があり、この配線コードはエレベータかごが昇降するため、最上階と最下階との間で利用できる長さと、自由度が必要である。そのため、昇降路内に設置される、エレベータ装置の各構成部材（例えばガイドレール、油圧ジャッキなどの駆動装置）と引っかかったりしないように注意する必要があり、このことがエレベータ装置の狭小スペースへの設置の妨げとなっていた。
【０００４】
そのため、配線コードがエレベータかごの昇降により振れが大きく生じないように、配線コードに振れ止めを被せるなどの手段が用いられている。（例えば特許文献１など）
【特許文献１】特開平０５−１８６１６４号公報
【発明の開示】
【発明が解決しようとする課題】
【０００５】
しかしながら、振れ止めなどの手段を用いていても、エレベータかごが昇降路内壁に近接して昇降する場合には、多少の振れであっても昇降路内壁にこれら配線コードが摺れるおそれがあり、その他昇降路内の部材などと引っかかりやすいという問題があった。
【０００６】
本願発明は上記背景技術に鑑みて発明されたものであり、その課題は、エレベータと昇降路内に設置されるエレベータ制御盤間に設けられる配線コードを、昇降路が狭小であっても支障無く設けることができるエレベータ装置を提供することである。
【課題を解決するための手段】
【０００７】
上記課題を解決するために、本願発明の請求項１に係る発明では、箱型のエレベータかごと、エレベータかごの上面に設けられる制御ボックスと、エレベータかごの内隅部を上下方向にわたって被装するコーナー板と、エレベータかごが走行する昇降路内に設置されるエレベータ制御盤とを有するエレベータ装置であって、制御ボックスとエレベータ制御盤間の配線コードを、エレベータかご内のコーナー板の背面側を通って通線したことを特徴とするエレベータ装置としている。
【０００８】
また請求項２に係る発明では、請求項１において、コーナー板は、両側部にそれぞれ延設されエレベータかごを構成する壁パネルと連結するための連結部を有することを特徴としている。
【０００９】
また請求項３に係る発明では、請求項１又は請求項２において、エレベータかごの天井板の配線コード引き下ろし部分である角部分を、切り欠いたことを特徴としている。
【００１０】
また請求項４に係る発明では、請求項１から請求項３いずれか一つの発明において、エレベータかご下に引き出された配線コードが、エレベータかご下に設けられたコード係合部を経由し配線されていることを特徴としている。
【発明の効果】
【００１１】
本願発明のエレベータ装置においては、請求項１に係る発明では、エレベータかご内を通して配線コードを通線したことで、配線コードが昇降路内壁に摺れることを防止できエレベータかごと昇降路内に設置されるエレベータ制御盤間の配線コードを、昇降路が狭小であっても支障無く設けることができる。また、通線位置をエレベータかごの内隅部にし、さらに内隅部をコーナー板で被装しているので、利用者に気づかれにくく、また面積をとらず配線コードを通線することが可能となる。
【００１２】
また、請求項２に係る発明では上記に加え、コーナー板が壁パネルと連結しやすくできる。
【００１３】
また、請求項３に係る発明では上記に加え、切り欠き部分で配線コードの位置決めが可能となる。
【００１４】
また、請求項４に係る発明では上記に加え、エレベータかご下における配線コードの位置決めができ、エレベータかご昇降時の配線コードの振れをより少なくすることが可能となる。
【発明を実施するための最良の形態】
【００１５】
本願発明の最良の形態を図１から図３に示される以下の実施例にて説明する。なお、図１は本エレベータ装置の水平断面図、図２はエレベータかごの縦断面図、図３は本エレベータ装置全体の概要図をそれぞれ示している。
【００１６】
本実施例では図１に示すように、箱型のエレベータかご１と、エレベータかご１の上面に設けられる制御ボックス２と、エレベータかご１の内隅部７を上下方向にわたって被装するコーナー板３と、エレベータかご１が走行する昇降路４内に設置されるエレベータ制御盤（図示せず）とを有するエレベータ装置５であって、制御ボックス２とエレベータ制御盤間の配線コード６を、エレベータかご内のコーナー板３の背面側を通って通線したエレベータ装置５としている。
【００１７】
該エレベータかご１は、側面視略L字状のプラットホーム１９の水平部上に底板を載置し、該底板上に板状の壁パネル９を立設し、さらに壁パネル９上に天井板が設けられ形成される。そしてエレベータかご１の上面に、エレベータかご内装備の制御や、油圧ジャッキなどの昇降装置２７を制御するための制御ボックス２が設けられていて、本実施例では、該制御ボックス２からエレベータ制御盤に至る配線コード６と、エレベータかご１内に設けられる操作盤１１への接続コードがそれぞれ引き出され、エレベータかご内へ引き込まれている。なお、本実施例では同じ部材を用いているため、操作盤１１が設けられるものについても、コーナー板３としている。
【００１８】
配線コード６は、エレベータかご内に引き込まれた後、コーナー板３裏面側に結束具などを用いて適宜係合されている。特に本実施例のように、配線コード６がエレベータかご１の外側から見えるように設けられている場合には、配線コード６がエレベータかご昇降スペースからはみ出し、建物梁や昇降路内設備に触れるおそれを少なくすることができる。
【００１９】
昇降路４は、例えば図３に示されるように、一般住宅などの建物内の一区画を上下に貫通し形成される。本実施例では昇降路４の四隅外側に、建物躯体の柱が設けられ、柱間に躯体壁が設けられている。そして躯体壁の一面に（本実施例では図１の右側部分）、昇降路内を上下方向に連続して設けられるガイドレール１８を保持するレールブラケット１７を固定するファスナー１６を設けている。これらファスナー１６とレールブラケット１７とは、ガイドレール１８を適宜保持するように、上下方向の複数個所に設置されている。なお、前記プラットホーム１９は該側面に設けられるガイドシュー２０を介してガイドレール１８と係合し、昇降装置２７にて支持され、昇降路４内を移動する。
【００２０】
また昇降路４には各階に乗り場１３が設けられ、それぞれ乗り場扉１４が設けられている。そしてエレベータかご１が各階に着床すると、エレベータかご１に設けられているかご扉１２と乗り場扉１４とが係合し、かご扉１２の開閉に連動し、乗り場扉１４も開閉する。
【００２１】
またコーナー板３は、両側部にそれぞれ延設されエレベータかご１を構成する壁パネル９と連結するための連結部８を有する。この連結部８は本実施例では壁パネル９の側端面と係合している。そして両側の壁パネル９の端部分を本コーナー板３にて連結するようにしているため、これら壁パネル９はコーナー板３までの幅を有しているだけであり、コーナー板３がエレベータかご１の壁の一部となっている。またそのため、配線コード６はあたかもエレベータかご１の外に位置するかのように通線されることになる。
【００２２】
なお、コーナー板３自体に強度が無い場合などは、壁パネル９どうしを互いに当接させ、エレベータかご１の内隅部７を形成することも可能である。また、このコーナー板３は板状に限定されず、例えばコーナー板３の両側から背面側に内隅部７の壁パネル９に沿って、コーナー板３の上下に亘る板状の連結部８が延設され、略三角柱状となる場合も含まれる。この場合、連結部８は壁パネル９の内面に当設し、固定具などで内隅部７に固定される。
【００２３】
またエレベータかご１の天井板の配線コード６引き下ろし部分である角部分を、円弧状に切り欠いている。その他の形状、例えばＵ字状、凹状等でもかまわない。本実施例では、コーナー板３の位置に対して、せり出すように配線コード引き下ろし部分を形成しているが、天井板のせり出しを抑えても良いし、円弧状とせず、例えば天井板の角部分をコーナー板３の位置に合わせて面取りすることも可能である。
【００２４】
図２はエレベータかご１の側断面を示している。制御ボックス２から引き出された配線コード６は、エレベータかご内に引き込まれ、コーナー板３の裏面側を通ってエレベータかご下に引き出される。そしてエレベータかご下に引き出された配線コード６は、エレベータかご１下に設けられたコード係合部２４を経由し配線されている。このコード係合部２４は、エレベータかご下に設けられるもので、例えば輪状体で輪内を通ってエレベータ制御盤に至る場合もあれば、単に結束具でエレベータかご下に固定する場合もある。またコード係合部２４の位置は、できるだけエレベータかご１の底面の中央部分に近づけて位置させるほうがよい。
【００２５】
その他、エレベータかご内には、天井部分に照明灯２８が、コーナー板の上側には非常灯２３が、壁部分に非常時通話用の電話機２２及び手すり２１がそれぞれ設けられている。また壁の下端部分には巾木２５が設けられている。なお、図２の場合、出入り方向は図示のように、エレベータかご１の右部分を用いている。
【００２６】
図３は、本実施例のエレベータ装置５の概略を示している。本実施例は３階床停止型のエレベータ装置である。
【００２７】
エレベータかご１のコード係合部２４を経由した配線コード６は、昇降路４内の略中間部分に設けられているケーブルハンガー１５に係合し経由点を決められるとともに、１階床面より下側にあり、その他の設備（図示せず）などが設置されるピット２６を通って、本実施例の場合１階乗り場部分に設けられているエレベータ制御盤に配線されている。なお、図では説明のため乗り場１３と対向するようにケーブルハンガー１５を設けているが、昇降路４内に設置される設備の状況によって適宜場所を移動して設けられる。
【００２８】
なお、昇降装置２７は、本実施例では油圧ジャッキを用いているが、ロープ式など他の方法も適宜用いることが可能である。
【図面の簡単な説明】
【００２９】
【図１】本願発明の一実施形態であるエレベータ装置を示す本エレベータ装置の水平断面図である。
【図２】同エレベータかごの縦断面図である。
【図３】同エレベータ装置全体の概要図である。
【符号の説明】
【００３０】
１  エレベータかご
２  制御ボックス
３  コーナー板
４  昇降路
５  エレベータ装置
６  配線コード
７  内隅部
８  連結部
９  壁パネル
１０  接続コード
１１  操作盤
１２  かご扉
１３  乗り場
１４  乗り場扉
１５  ケーブルハンガー
１６  ファスナー
１７  レールブラケット
１８  ガイドレール
１９  プラットホーム
２０  ガイドシュー
２１  手すり
２２  電話機
２３  非常灯
２４  コード係合部
２５  巾木
２６  ピット
２７  昇降装置
２８  照明灯
【図１】
2006027868.tif 000003
【図２】
2006027868.tif 000004
【図３】
2006027868.tif 000005